(57)【要約】【課題】チラシの配布を希望するユーザー宅に、実物のチラシを配布し、不要の場合には気軽にチラシの配布を停止させる手段を提供する。【解決手段】ユーザーからのチラシの配布希望登録及び配布停止登録を受け付ける受付手段１と、受付手段によって入力されたデータを記録する記録手段２と、条件に応じたデータを抽出する抽出手段３と、抽出手段によって抽出されたリストを出力する出力手段４と、出力手段によって出力されたリストにしたがってユーザー宅にチラシを配布する配布手段５とを備え、ユーザーの配布希望情報に基づいてチラシを配布すると共に、ユーザーの配布停止情報に基づいてチラシの配布を停止する。【選択図】  図１
2004178185.tif 000002
【特許請求の範囲】
【請求項１】
ユーザーからのチラシの配布希望登録及び配布停止登録を受け付ける受付手段と、
受付手段によって入力されたデータを記録する記録手段と、
条件に応じたデータを抽出する抽出手段と、
抽出手段によって抽出されたリストを出力する出力手段と、
出力手段によって出力されたリストにしたがってユーザー宅にチラシを配布する配布手段とを備え、
ユーザーの配布希望情報に基づいてチラシを配布すると共に、
ユーザーの配布停止情報に基づいてチラシの配布を停止することを特徴とする、チラシ配布方法。
【発明の詳細な説明】
【０００１】
【発明が属する技術分野】
【０００２】
本発明はチラシ配布方法に関する。
【０００３】
【従来の技術】
【０００４】
従来、地域に存在する電気店、スーパーマーケット、車屋、不動産屋等のチラシは、主に、新聞に折り込み広告として入れられ、新聞と共に各家庭に配布されていた。
【０００５】
また、インターネット上でチラシを扱う技術として、特開２００２−２３０３９８号公報に記載されたチラシ情報配信方法、及び、チラシ情報配信システムが存在する。
この技術は、多くの読者に対して、有用なチラシ情報を効率よく、低コストで提供するもので、配信先となるネットワークアドレス、及び、必要なチラシ情報を選択するためのチラシ選択情報を含んだ読者情報を読者情報記憶装置に記憶し、宣伝情報、該宣伝情報の有効期間を示す有効期間情報、及び、チラシ情報の発行商店を示す発行商店情報を含んだチラシ基礎情報を基礎情報記憶装置に記憶し、商店特定情報を含んだ商店情報を商店情報記憶装置に記憶し、制御部が、チラシ選択情報に基づき、チラシ基礎情報と商店特定情報とをそれぞれ選択して読者毎にチラシ情報を作成して配信するものである。
【０００６】
【特許文献１】
特開２００２−２３０３９８号公報
【０００７】
【発明が解決しようとする課題】
【０００８】
しかしながら、従来のチラシ配布方法は、新聞を購読している家庭に一律に配布されているので、チラシの配布を望まない家庭にも配布されていた。
このような家庭では、チラシは厄介なものとして扱われ、チラシを見ることなく廃棄されるので、チラシの配布効果が低下していた。
【０００９】
一方、地域の店舗情報として、チラシの配布を強く希望する家庭もあった。
このような家庭では、新聞自体の購読は不要と考えている場合でも、チラシの配布を希望するために、購読契約をしている場合も存在していた。
【００１０】
また、インターネットによってチラシ情報が配信された場合には、ディスプレイ上、若しくは、プリントアウトすることによって、チラシの内容の確認ができるが、見にくいことや、印刷の時間と手間やインク代等のランニングコストがかかることから、実物のチラシの入手が望まれていた。加えて、毎回通信コストが掛かることがネックとなっていた。
【００１１】
従って、本発明の解決しようとする課題は、チラシの配布を希望するユーザー宅に、実物のチラシを配布し、不要の場合には気軽にチラシの配布を停止させることができる、チラシ配布方法を提供することにある。
【００１２】
【課題を解決するための手段】
【００１３】
本発明の課題を解決するための手段は、下記のとおりである。
【００１４】
第１に、ユーザーからのチラシの配布希望登録及び配布停止登録を受け付ける受付手段と、
受付手段によって入力されたデータを記録する記録手段と、
条件に応じたデータを抽出する抽出手段と、
抽出手段によって抽出されたリストを出力する出力手段と、
出力手段によって出力されたリストにしたがってユーザー宅にチラシを配布する配布手段とを備え、
ユーザーの配布希望情報に基づいてチラシを配布すると共に、
ユーザーの配布停止情報に基づいてチラシの配布を停止することを特徴とする、チラシ配布方法。
【００１５】
ユーザーからのチラシの配布希望登録の際に、ユーザーがチラシの種類、電気店、スーパーマーケット、車屋、不動産屋等の中から、例えば、スーパーマーケットのチラシの配布だけを希望とか、不動産のチラシの配布は停止でそれ以外のチラシの配布は希望とかの要望に応えるようにすることもできる。
【００１６】
受付手段としては、ユーザーからの電話を音声自動処理によって受け付ける他に、ユーザーが通信回線に接続されたパーソナルコンピュータ等を用いて直接に入力することもできるし、オペレータが処理して入力することもできる。
【００１７】
ユーザーは、配布希望、配布停止及び再配布希望を気軽に登録できるので、例えば、１週間程度の旅行に行く場合でも、配布停止を登録することで、留守中にチラシがポストに貯まることで、他人に留守であることを知られる恐れがなくなる。
【００１８】
【実施例】
【００１９】
以下に、図面を参照しながら、本発明の一実施例について説明する。
【００２０】
図１は、本発明のチラシ配布方法の一実施例の説明図である。
【００２１】
本発明のチラシ配布方法は、ユーザーからのチラシの配布希望登録及び配布停止登録を受け付ける受付手段１と、受付手段によって入力されたデータを記録する記録手段２と、条件に応じたデータを抽出する抽出手段３と、抽出手段によって抽出されたリストを出力する出力手段４と、出力手段によって出力されたリストにしたがってユーザー宅にチラシを配布する配布手段５とを備えている。
【００２２】
そして、本発明のチラシ配布方法は、ユーザーの配布希望情報に基づいてチラシを配布すると共に、ユーザーの配布停止情報に基づいてチラシの配布を停止するものである。
【００２３】
受付手段１は、本実施例においては、ユーザーからのフリーダイヤルによる電話を、ガイダンスによる音声自動処理によって受け付けるものである。
具体的には、電話がかかると、配布希望登録なら１、配布停止登録なら２の番号を押すことが指示される。
配布希望登録が選択された場合には、ユーザー登録と共に、配布希望のチラシの種類が、例えば、全種類なら１、電気店なら２、スーパーマーケットなら３、車屋なら４、不動産なら５の番号を押すことで選択される。
【００２４】
記録手段２は、受付手段１によって入力されたデータを、サーバーに接続されたハードディスクに記録するものである。
【００２５】
抽出手段３は、記録手段２に記録されたデータから、住所やチラシの種類等の条件に応じたデータを、抽出するものである。
【００２６】
出力手段４は、抽出手段３によって抽出されたリストを、最適な配布順路毎に、出力するものである。
【００２７】
配布手段５は、出力手段によって出力されたリストにしたがって、ユーザー宅に実物のチラシを配布するものである。
【００２８】
受付手段１において、配布停止登録が選択された場合にも、ユーザー確認と共に、配布停止のチラシの種類が、例えば、全種類なら１、電気店なら２、スーパーマーケットなら３、車屋なら４、不動産なら５の番号を押すことで選択され、該当ユーザーへの該当チラシの配布が停止される。
【００２９】
【発明の効果】
【００３０】
本発明によれば、チラシの配布を希望するユーザー宅に、実物のチラシを配布し、不要の場合には気軽にチラシの配布を停止させることができる。
そのため、本発明によると、チラシの配布効果が上昇し、新聞自体の購読は不要と考えている家庭にとっては新聞の購読契約をする必要がない。
また、実物のチラシが入手できるので、見やすく、印刷等の時間と手間がかからず、インク代等のランニングコストも不要であり、毎回通信コストが掛かることもない。
【図面の簡単な説明】
【図１】本発明のチラシ配布方法の一実施例の説明図である。
【符号の説明】
１  受付手段
２  記録手段
３  抽出手段
４  出力手段
５  配布手段
【図１】
2004178185.tif 000003